【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
集積インピーダンス整合およびフィルタリング回路であって、
第１のインダクタを備えるインピーダンス整合回路と、ここにおいて、前記第１のインダクタは、前記集積インピーダンス整合およびフィルタリング回路の入力と出力との間で電気結合される、
前記インピーダンス整合回路からの第１の共振回路の第１の共振周波数に等しい周波数を有し、かつ前記集積インピーダンス整合およびフィルタリング回路に入力された信号の少なくとも一部分を除去し減衰させるように構成された前記第１の共振回路と、ここにおいて、前記第１の共振回路は、前記第１のインダクタに磁気的に結合された第２のインダクタを備える、
ここにおいて、前記第１の共振周波数は、前記インピーダンス整合回路に結合された増幅器からの出力信号の高調波周波数に、または高調波周波数の近くにあり、前記増幅器の効率を高めるように構成され、
ここにおいて、前記第１の共振回路は、キャパシタをさらに備え、共振インダクタキャパシタ（ＬＣ）タンク回路である、
を備える、回路。
【請求項２】
前記第２のインダクタは、金属のオープンリングを備え、前記キャパシタは、金属の前記オープンリングの端部間に配置された誘電性材料を備える、請求項１に記載の回路。
【請求項３】
前記第１のインダクタは、前記第２のインダクタの金属の前記オープンリングを囲む金属の１つ以上のリングを備え、
前記第２のインダクタの金属の前記オープンリングは、前記第１のインダクタの金属の前記リングのうちの１つに電気的に短絡している、請求項２に記載の回路。
【請求項４】
前記第１の共振回路は、前記第２のインダクタの金属の前記オープンリング内に介在するスイッチをさらに備え、
前記第１のインダクタにおける信号の振幅が前記スイッチの開閉を制御するように構成されるように、前記スイッチのための制御ラインは、前記第１のインダクタに接続される、請求項２に記載の回路。
【請求項５】
前記インピーダンス整合回路から第２の共振回路の第２の共振周波数の少なくとも一部分を除去し減衰させるように構成された前記第２の共振回路をさらに備え、前記第２の共振回路は、前記第１のインダクタに結合された第３のインダクタを備える、請求項１に記載の回路。
【請求項６】
前記第１の共振周波数は、前記第２の共振周波数に等しい、請求項５に記載の回路。
【請求項７】
前記第２の共振回路は、キャパシタをさらに備え、前記第３のインダクタは、金属のオープンリングを備え、前記キャパシタは、前記第３のインダクタの金属の前記オープンリングの端部間に配置された誘電性材料を備え、好ましくは、
前記第３のインダクタの金属の前記オープンリングは、前記第２のインダクタの金属のオープンリングに隣接して配置される、または
前記第３のインダクタの金属の前記オープンリングは、前記第２のインダクタの金属のオープンリング内に配置される、または
前記第１のインダクタは、前記第２のインダクタの金属のオープンリングまたは前記第３のインダクタの金属の前記オープンリングのうちの少なくとも１つを囲む金属の１つ以上のリングを備える、請求項５に記載の回路。
【請求項８】
前記第１の共振回路は、電気的に浮遊状態になっており、導電性材料を用いて別の回路への接続を欠くように構成される、または
前記第１のインダクタのループは、実質的に、前記第２のインダクタのループによって囲まれる、または前記第２のインダクタのループを囲み、前記第１のインダクタの前記ループを形成するトレースは、前記第２のインダクタの前記ループを形成するトレースに隣接して位置する、請求項１に記載の回路。
【請求項９】
前記第１の共振周波数は、前記インピーダンス整合回路に結合された増幅器からの出力信号の高調波周波数を備え、
前記高調波周波数は、前記出力信号の第２の高調波または第３の高調波を備える、請求項１に記載の回路。
【請求項１０】
前記第１の共振周波数は、全地球測位システム（ＧＰＳ）周波数を備える、請求項１に記載の回路。
【請求項１１】
前記インピーダンス整合回路は、一次巻線および前記一次巻線に磁気的に結合された二次巻線を有する変圧器を備え、前記第１のインダクタは、前記一次巻線または前記二次巻線であり、好ましくは
前記第１の共振回路は、キャパシタをさらに備え、前記第２のインダクタは、金属のオープンリングを備え、前記キャパシタは、金属の前記オープンリングの端部間に配置された誘電性材料を備え、さらに好ましくは
前記第２のインダクタに接続された１つ以上のトレースは、前記一次および二次巻線を形成するトレース間に配置される、請求項１に記載の回路。
【請求項１２】
前記インピーダンス整合回路は、差動信号ペアの第１のブランチにおける前記第１のインダクタを有する、および前記差動信号ペアの第２のブランチにおける第３のインダクタを有する差動インピーダンス整合回路を備え、好ましくは
前記第１の共振周波数を有し、前記第３のインダクタに結合された第４のインダクタを備える第２の共振回路をさらに備え、前記第２の共振回路は、前記差動信号ペアの前記第２のブランチから前記第１の共振周波数のうちの少なくとも一部分を除去するように構成される、請求項１に記載の回路。
【請求項１３】
フィルタリングする方法であって、
増幅器を介して信号を増幅させることと、
共振周波数を有する共振回路を介したインピーダンス整合回路からの前記共振周波数に等しい周波数を有し、かつ集積インピーダンス整合およびフィルタリング回路に入力された信号のうちの少なくとも一部分を少なくとも除去および減衰させることによって、前記増幅された信号をフィルタリングすることと、ここにおいて、前記共振回路は、前記増幅器のための前記インピーダンス整合回路に磁気的に結合され、
前記インピーダンス整合回路は、第１のインダクタを備え、ここにおいて、前記第１のインダクタは、前記集積インピーダンス整合およびフィルタリング回路の入力と出力との間で電気結合される、
前記共振回路は、前記第１のインダクタに磁気的に結合された第２のインダクタおよびキャパシタを備え、
前記第２のインダクタは、金属のオープンリングを備え、
前記キャパシタは、金属の前記オープンリングの端部間に配置された誘電性材料を備え、
前記共振周波数は、前記増幅された信号の高調波周波数であり、
ここにおいて、第１の共振回路は、キャパシタをさらに備え、共振インダクタキャパシタ（ＬＣ）タンク回路である、
を備える、方法。
【請求項１４】
前記第１のインダクタにおける信号の振幅に基づいて前記共振回路を介して前記増幅された信号の前記フィルタリングの非アクティブ化を制御することをさらに備える、請求項１３に記載の方法。
【請求項１５】
前記増幅された信号をフィルタリングすることは、前記共振回路を介して前記共振周波数において前記増幅された信号からエネルギーを抽出することを備える、請求項１３に記載の方法。
【手続補正２】
【補正対象書類名】明細書
【補正対象項目名】００６４
【補正方法】変更
【補正の内容】
【００６４】
[0083]  特許請求の範囲は、上記に例示されたとおりの構成およびコンポーネントに限定されないことが理解されるべきである。様々な修正、変更、および変形は、特許請求の範囲から逸脱することなく、上述した方法および装置の配置、動作および詳細において行われ得る。
以下に本願の出願当初の特許請求の範囲に記載された発明を付記する。
［Ｃ１］
集積インピーダンス整合およびフィルタリング回路であって、
第１のインダクタを備えるインピーダンス整合回路と、
前記インピーダンス整合回路から第１の共振回路の第１の共振周波数の少なくとも一部分を除去するように構成された前記第１の共振回路と、ここにおいて、前記第１の共振回路は、前記第１のインダクタに磁気的に結合された第２のインダクタを備える、
を備える、回路。
［Ｃ２］
前記第１の共振回路は、キャパシタをさらに備え、共振インダクタキャパシタ（ＬＣ）タンク回路である、Ｃ１に記載の回路。
［Ｃ３］
前記第２のインダクタは、金属のオープンリングを備え、前記キャパシタは、金属の前記オープンリングの端部間に配置された誘電性材料を備える、Ｃ２に記載の回路。
［Ｃ４］
前記第１のインダクタは、前記第２のインダクタの金属の前記オープンリングを囲む金属の１つ以上のリングを備える、Ｃ３に記載の回路。
［Ｃ５］
前記第２のインダクタの金属の前記オープンリングは、前記第１のインダクタの金属の前記リングのうちの１つに電気的に短絡している、Ｃ４に記載の回路。
［Ｃ６］
前記第１の共振回路は、前記第２のインダクタの金属の前記オープンリング内に介在するスイッチをさらに備える、Ｃ３に記載の回路。
［Ｃ７］
前記第１のインダクタにおける信号の振幅が前記スイッチの開閉を制御するように構成されるように、前記スイッチのための制御ラインは、前記第１のインダクタに接続される、Ｃ６に記載の回路。
［Ｃ８］
前記インピーダンス整合回路から第２の共振回路の第２の共振周波数の少なくとも一部分を除去するように構成された前記第２の共振回路をさらに備え、前記第２の共振回路は、前記第１のインダクタに結合された第３のインダクタを備える、Ｃ１に記載の回路。
［Ｃ９］
前記第１の共振周波数は、前記第２の共振周波数に等しい、Ｃ８に記載の回路。
［Ｃ１０］
前記第２の共振回路は、キャパシタをさらに備え、前記第３のインダクタは、金属のオープンリングを備え、前記キャパシタは、前記第３のインダクタの金属の前記オープンリングの端部間に配置された誘電性材料を備える、Ｃ８に記載の回路。
［Ｃ１１］
前記第３のインダクタの金属の前記オープンリングは、前記第２のインダクタの金属のオープンリングに隣接して配置される、Ｃ１０に記載の回路。
［Ｃ１２］
前記第３のインダクタの金属の前記オープンリングは、前記第２のインダクタの金属のオープンリング内に配置される、Ｃ１０に記載の回路。
［Ｃ１３］
前記第１のインダクタは、前記第２のインダクタの金属のオープンリングまたは前記第３のインダクタの金属の前記オープンリングのうちの少なくとも１つを囲む金属の１つ以上のリングを備える、Ｃ１０に記載の回路。
［Ｃ１４］
前記第１の共振回路は、電気的に浮遊状態になっており、導電性材料を用いて別の回路への接続を欠くように構成される、Ｃ１に記載の回路。
［Ｃ１５］
前記第１のインダクタのループは、実質的に、前記第２のインダクタのループによって囲まれる、または前記第２のインダクタのループを囲み、前記第１のインダクタの前記ループを形成するトレースは、前記第２のインダクタの前記ループを形成するトレースに隣接して位置する、Ｃ１に記載の回路。
［Ｃ１６］
前記第１の共振周波数は、前記インピーダンス整合回路に結合された増幅器からの出力信号の高調波周波数を備える、Ｃ１に記載の回路。
［Ｃ１７］
前記高調波周波数は、前記出力信号の第２の高調波または第３の高調波を備える、Ｃ１６に記載の回路。
［Ｃ１８］
前記第１の共振周波数は、全地球測位システム（ＧＰＳ）周波数を備える、Ｃ１に記載の回路。
［Ｃ１９］
前記第１の共振周波数は、前記インピーダンス整合回路に結合された増幅器からの出力信号の高調波周波数に、または高調波周波数の近くにあり、前記増幅器の効率を高めるように構成される、Ｃ１に記載の回路。
［Ｃ２０］
前記インピーダンス整合回路は、一次巻線および前記一次巻線に磁気的に結合された二次巻線を有する変圧器を備え、前記第１のインダクタは、前記一次巻線または前記二次巻線である、Ｃ１に記載の回路。
［Ｃ２１］
前記第１の共振回路は、キャパシタをさらに備え、前記第２のインダクタは、金属のオープンリングを備え、前記キャパシタは、金属の前記オープンリングの端部間に配置された誘電性材料を備える、Ｃ２０に記載の回路。
［Ｃ２２］
前記第２のインダクタに接続された１つ以上のトレースは、前記一次および二次巻線を形成するトレース間に配置される、Ｃ２１に記載の回路。
［Ｃ２３］
前記インピーダンス整合回路は、差動信号ペアの第１のブランチにおける前記第１のインダクタを有する、および前記差動信号ペアの第２のブランチにおける第３のインダクタを有する差動インピーダンス整合回路を備える、Ｃ１に記載の回路。
［Ｃ２４］
前記第１の共振周波数を有し、前記第３のインダクタに結合された第４のインダクタを備える第２の共振回路をさらに備え、前記第２の共振回路は、前記差動信号ペアの前記第２のブランチから前記第１の共振周波数のうちの少なくとも一部分を除去するように構成される、Ｃ２３に記載の回路。
［Ｃ２５］
フィルタリングする方法であって、
増幅器を介して信号を増幅させることと、
共振周波数を有する共振回路を介してインピーダンス整合回路から前記共振周波数のうちの少なくとも一部分を少なくとも除去することで前記増幅された信号をフィルタリングすることと、ここにおいて、前記共振回路は、前記増幅器のための前記インピーダンス整合回路に磁気的に結合される、
を備える、方法。
［Ｃ２６］
前記インピーダンス整合回路は、第１のインダクタを備え、
前記共振回路は、前記第１のインダクタに磁気的に結合された第２のインダクタおよびキャパシタを備え、
前記第２のインダクタは、金属のオープンリングを備え、
前記キャパシタは、金属の前記オープンリングの端部間に配置された誘電性材料を備え、
前記共振周波数は、前記増幅された信号の高調波周波数である、Ｃ２５に記載の方法。
［Ｃ２７］
前記第１のインダクタにおける信号の振幅に基づいて前記共振回路を介して前記増幅された信号の前記フィルタリングの非アクティブ化を制御することをさらに備える、Ｃ２６に記載の方法。
［Ｃ２８］
前記増幅された信号をフィルタリングすることは、前記共振回路を介して前記共振周波数において前記増幅された信号からエネルギーを抽出することを備える、Ｃ２５に記載の方法。
［Ｃ２９］
ワイヤレス通信のための装置であって、
信号を増幅させるための手段と、
増幅させるための前記手段の出力インピーダンスをインピーダンス整合するための手段と、
共振周波数においてインピーダンス整合するための前記手段から前記増幅された信号のうちの少なくとも一部分を除去するための手段と
を備え、ここにおいて、フィルタリングするための前記手段は、
インピーダンス整合するための前記手段に磁気的に結合され、
前記共振周波数を有する、装置。
［Ｃ３０］
制御するための前記手段において受信された信号に基づいて前記増幅された信号をフィルタリングするための前記手段の非アクティブ化を制御するための手段をさらに備える、Ｃ２９に記載の装置。